(57)【要約】  【課題】  データの欠損が発生しない適切なバッファ量を動的に確保するとともに、各局のOFDMフレーム構成を維持することが可能な送信制御システムを提供する。  【解決手段】  マスタ装置およびスレーブ装置の同期をとって前記コンテンツを送信する送信制御システムであって、前記スレーブ装置からの前記取得済のフレーム番号を受信するフレーム番号受信部と、前記スレーブ装置からの取得済フレーム番号からマスタ装置およびスレーブ装置のバッファを制御するバッファ制御部と、前記スレーブ装置からの取得済フレーム番号の中で最小の番号以下または最大の番号以上に送信開始フレーム番号を設定して、送信開始時刻とともに該送信開始フレーム番号を前記スレーブ装置に送信する送信制御部とを備えている。【選択図】  図２
2015106901.tif 000002
【特許請求の範囲】
【請求項１】
コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御システムであって、
前記スレーブ装置は、前記コンテンツパケットを受信するパケット受信部と、
前記コンテンツパケットからフレーム番号を取得するフレーム番号取得部と、
取得済のフレーム番号の中で最新のものを時刻とともに前記マスタ装置に送信するフレーム番号送信部とを備え、
前記マスタ装置は、前記コンテンツパケットを配信するパケット配信部と、
前記スレーブ装置からの前記取得済のフレーム番号を受信するフレーム番号受信部と、
前記スレーブ装置からの取得済フレーム番号からマスタ装置およびスレーブ装置のバッファを制御するバッファ制御部と、
前記スレーブ装置からの取得済フレーム番号の中で最小の番号以下または最大の番号以上に送信開始フレーム番号を設定して、送信開始時刻とともに該送信開始フレーム番号を前記スレーブ装置に送信する送信制御部と
を備えたことを特徴とする送信制御システム。
【請求項２】
前記フレーム番号は、コンテンツパケットのダミーデータ部分に挿入されたことを特徴とする請求項１に記載の送信制御システム。
【請求項３】
コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御システムであって、
前記マスタ装置と前記スレーブ装置とが同期をとって前記コンテンツを送信している場合において、新たに新規スレーブ装置を追加するときに、
前記新規スレーブ装置は、前記コンテンツパケットの送信を前記マスタ装置に要求するコンテンツパケット送信要求部と、
前記コンテンツパケットを受信するコンテンツパケット受信部と、
前記コンテンツパケットからフレーム番号を取得するフレーム番号取得部と、
取得済のフレーム番号の中で最新のものを時刻とともに前記マスタ装置に送信するフレーム番号送信部とを備え、
前記マスタ装置は、前記コンテンツパケットを配信するパケット配信部と、
前記新規スレーブ装置からの取得済のフレーム番号を受信するフレーム番号受信部と、
前記スレーブ装置からの取得済フレーム番号からマスタ装置およびスレーブ装置のバッファを制御するバッファ制御部と、
前記新規スレーブ装置からの取得済フレーム番号と、現在送信中のフレーム番号とから送信開始フレーム番号を決定して、送信開始時刻とともに該送信開始フレーム番号を前記新規スレーブ装置に送信する送信開始フレーム番号送信手段と
を備えたことを特徴とする送信制御システム。
【請求項４】
前記フレーム番号は、コンテンツパケットのダミーデータ部分に挿入されたことを特徴とする請求項３に記載の送信制御システム。
【請求項５】
請求項３または４に記載の送信制御システムであって、
前記マスタ装置が、前記新規スレーブ装置または前記スレーブ装置のいずれかからバッファ容量が１フレーム分の容量より小さくなったことを受信すると、次回送信予定のフレームにかえて所定数のヌルフレームを送信することを特徴とする送信制御システム。
【請求項６】
請求項５に記載の送信制御システムであって、
前記所定数のヌルフレームを送信した後、前記マスタ装置、前記スレーブ装置および前記新規スレーブ装置が、マスタ装置から通知されたフレーム番号情報および送信開始時刻に基づいて、送信を開始することを特徴とする送信制御システム。
【請求項７】
請求項１乃至６いずれかに記載の送信制御システムであって、
１のスレーブ装置が前記マスタ装置との通信ネットワークが遮断され、その後復旧した場合に、前記１のスレーブ装置は請求項３に記載の新規スレーブ装置と同様の動作を行うことで、送信制御システムに復旧することを特徴とする送信制御システム。
【請求項８】
コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御方法であって、
前記スレーブ装置において、前記コンテンツパケットを受信するパケット受信ステップと、
前記コンテンツパケットからフレーム番号を取得するフレーム番号取得ステップと、
取得済のフレーム番号の中で最新のものを時刻とともに前記マスタ装置に送信するフレーム番号送信ステップとを実行し、
前記マスタ装置において、前記コンテンツパケットを配信するパケット配信ステップと、前記スレーブ装置からの前記取得済のフレーム番号を受信するフレーム番号受信ステップと、
前記スレーブ装置からの取得済フレーム番号からマスタ装置およびスレーブ装置のバッファを制御するバッファ制御ステップと、
前記スレーブ装置からの取得済フレーム番号の中で最小の番号以下または最大の番号以上に送信開始フレーム番号を設定して、送信開始時刻とともに該送信開始フレーム番号を前記スレーブ装置に送信する送信制御ステップとを実行することを特徴とする送信制御方法。
【発明の詳細な説明】
【技術分野】
【０００１】
本発明は、映像音声等の各種コンテンツのパケットを配信するサーバ(マスタ装置)とパケットの配信を受ける複数のクライアント(スレーブ装置)とを備えた送信システムの同期をとるための送信制御システムに関する。
【背景技術】
【０００２】
従来より、アナログテレビの電波空き帯域であるＶＨＦ(Very-High Frequency)−ｌｏｗ帯やＵＨＦ帯（Ultra-High Frequency）の地上波デジタル放送における未使用チャネルを利用した放送システムが提案されている。このような放送システムは、例えば防災及び被災時のための放送システムとして有用であり、すでに一部地域で実証実験が行われている。
【０００３】
このような放送システムでは、広域をカバーする方法がある。この場合に、複数の無線基地局で同一の周波数を用いるＳＦＮ（Single Frequency Network）を採用すると、周波数利用効率の観点から有利である。
【０００４】
ＳＦＮは、例えば自営無線などの無線システムで実用化されている。しかしながら、例えば日本におけるＩＳＤＢ−Ｔ（Integrated Services Digital Broadcasting - Terrestrial）のようなＯＦＤＭ（Orthogonal Frequency Division Multiplexing）変調を用いる放送システムでは、基地局間同期のわずかなずれがあるだけでも、サブチャネル間の符号間干渉が起こってしまうため、無線基地局間の精密な同期が要求される。また、他のデジタルテレビ放送規格であるＡＴＳＣ（Advanced Television Systems Committee）、ＤＶＢ（Digital Video Broadcasting）その他のデジタルテレビ放送でも同様に基地局間の精密な同期が要求される。
【０００５】
上記のようにＩＰネットワークで接続された複数の無線基地局でＳＦＮにより広帯域をカバーする放送システムでは、一の無線基地局をマスタ装置とし、他の無線基地局をスレーブ装置として、複数の無線基地局を同期させる。同期を確立する方式として、放送中継方式があるが、この方式では回り込みキャンセラが必要となり、コスト高となる。また、ＧＰＳ（Global Positioning System）を用いる方式もあるが、この方式ではＧＰＳ電波を受信可能な場所に無線基地局を設置しなければならないという制約がある。
【０００６】
よって、ＩＰネットワークを用いて安価に無線基地局間の同期を実現することが望ましく、これはIEEE1588のＰＴＰ（Precision Time Protocol）等の手法を用いることにより、マスタ装置とスレーブ装置間での同期を確立することが可能である。
【０００７】
次に実際の放送局の運用にあっては、マスタ送信装置(以下、マスタ装置という)とスレーブ送信装置(以下スレーブ装置という)の同期を確立した上で、複数の送信装置からパケットを同時に送信させる必要がある。このために、送信タイミングが付加されたパケットを各送信装置に送信して、各送信装置から同時にパケットを送信させる通信制御システムが知られている（特許文献１）。
【先行技術文献】
【特許文献】
【０００８】
【特許文献１】特開２００９−１７１３８２号公報
【発明の概要】
【発明が解決しようとする課題】
【０００９】
しかしながら、上記の従来技術においては、パケットの遅延が大きい送信装置があるとパケット欠落となるため、各送信装置があらかじめそれぞれ容量の大きなバッファを用いる必要があるという課題があった。また放送データを送信する場合は、ＯＦＤＭ(Orthogonal Frequeycy Division Multiplexing)フレームの先頭を合わせる必要があるという課題もあった。
【００１０】
本発明は、上記の問題に鑑みてなされたものであり、データの欠損が発生しない適切なバッファ量を動的に確保するとともに、各局のOFDMフレーム構成を維持することが可能な送信制御システムを提供することを目的とする。
【課題を解決するための手段】
【００１１】
本発明の送信制御システムは、コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御システムであって、前記スレーブ装置は、前記コンテンツパケットを受信するパケット受信部と、前記コンテンツパケットからフレーム番号を取得するフレーム番号取得部と、取得済のフレーム番号の中で最新のものを時刻とともに前記マスタ装置に送信するフレーム番号送信部とを備え、前記マスタ装置は、前記コンテンツパケットを配信するパケット配信部と、前記スレーブ装置からの前記取得済のフレーム番号を受信するフレーム番号受信部と、前記スレーブ装置からの取得済フレーム番号からマスタ装置およびスレーブ装置のバッファを制御するバッファ制御部と、前記スレーブ装置からの取得済フレーム番号の中で最小の番号以下または最大の番号以上に送信開始フレーム番号を設定して、送信開始時刻とともに該送信開始フレーム番号を前記スレーブ装置に送信する送信制御部とを備えた構成を有している。
【００１２】
この構成により、複数の送信装置の適切なバッファ量を動的に確保するとともに、各局のOFDMフレーム構成を維持することが可能となる。
【００１３】
また、本発明の送信制御システムは、前記フレーム番号は、コンテンツパケットのダミーデータ部分に挿入された構成を有している。
【００１４】
この構成により、放送ＴＳの空きデータ部分を利用してマスタ装置からスレーブ装置にフレーム番号を伝送することができる。
【００１５】
また本発明の送信制御システムは、コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御システムであって、前記マスタ装置と前記スレーブ装置とが同期をとって前記コンテンツを送信している場合において、新たに新規スレーブ装置を追加するときに、前記新規スレーブ装置は、前記コンテンツパケットの送信を前記マスタ装置に要求するコンテンツパケット送信要求部と、前記コンテンツパケットを受信するコンテンツパケット受信部と、前記コンテンツパケットからフレーム番号を取得するフレーム番号取得部と、取得済のフレーム番号の中で最新のものを時刻とともに前記マスタ装置に送信するフレーム番号送信部とを備え、前記マスタ装置は、前記コンテンツパケットを配信するパケット配信部と、前記新規スレーブ装置からの取得済のフレーム番号を受信するフレーム番号受信部と、前記スレーブ装置からの取得済フレーム番号からマスタ装置およびスレーブ装置のバッファを制御するバッファ制御部と、前記新規スレーブ装置からの取得済フレーム番号と、現在送信中のフレーム番号とから送信開始フレーム番号を決定して、送信開始時刻とともに該送信開始フレーム番号を前記新規スレーブ装置に送信する送信開始フレーム番号送信手段とを備えた構成
を有している。
【００１６】
この構成により、稼働中の送信制御システムを停止することなく、複数の送信装置の適切なバッファ量を動的に確保するとともに、各局のOFDMフレーム構成を維持することが可能となる。
【００１７】
また本発明の送信制御システムは、前記フレーム番号は、コンテンツパケットのダミーデータ部分に挿入された構成を有している。
【００１８】
この構成により、放送ＴＳの空きデータ部分を利用してマスタ装置からスレーブ装置にフレーム番号を伝送することができる。
【００１９】
また本発明の送信制御システムは、前記マスタ装置が、前記新規スレーブ装置または前記スレーブ装置のいずれかからバッファ容量が１フレーム分の容量より小さくなったことを受信すると、次回送信予定のフレームにかえて所定数のヌルフレームを送信する構成を有している。
【００２０】
この構成により、新規スレーブ装置またはスレーブ装置のバッファ容量を超える遅延が発生した場合でも、各局のOFDMフレーム構成を維持することが可能となる。また、本発明の送信制御システムは、前記所定数のヌルフレームを送信した後、前記マスタ装置、前記スレーブ装置および前記新規スレーブ装置が、マスタ装置から通知されたフレーム番号情報および送信開始時刻に基づいて、送信を開始する構成を有している。
【００２１】
この構成により、追加スレーブ装置の遅延が大きい場合でも、複数の送信装置の適切なバッファ量を動的に確保するとともに、各局のOFDMフレーム構成を維持することが可能となる。
【００２２】
また本発明の送信制御システムは、１のスレーブ装置が前記マスタ装置との通信ネットワークが遮断され、その後復旧した場合に、前記１のスレーブ装置は上記新規スレーブ装置と同様の動作を行うことで、送信制御システムに復旧する構成を有している。
【００２３】
この構成により、稼働中の送信制御システムを停止することなく、複数の送信装置の適切なバッファ量を動的に確保するとともに、各局のOFDMフレーム構成を維持することが可能となる。
【００２４】
本発明の送信制御方法は、コンテンツパケットを配信するマスタ装置と、前記コンテンツパケットを受信する少なくとも１つのスレーブ装置とを有し、前記マスタ装置および前記スレーブ装置の同期をとって前記コンテンツを送信する送信制御方法であって、前記スレーブ装置において、前記コンテンツパケットを受信するパケット受信ステップと、前記コンテンツパケットからフレーム番号を取得するフレーム番号取得ステップと、取得済のフレーム番号の中で最新のものを時刻とともに前記マスタ装置に送信するフレーム番号送信ステップとを実行し、前記マスタ装置において、前記コンテンツパケットを配信するパケット配信ステップと、前記スレーブ装置からの前記取得済のフレーム番号を受信するフレーム番号受信ステップと、前記スレーブ装置からの取得済フレーム番号からマスタ装置およびスレーブ装置のバッファを制御するバッファ制御ステップと、前記スレーブ装置からの取得済フレーム番号の中で最小の番号以下に送信開始フレーム番号を設定して、送信開始時刻とともに該送信開始フレーム番号を前記スレーブ装置に送信する送信制御ステップとを実行する構成を有している。
【００２５】
この方法により、複数の送信装置の適切なバッファ量を動的に確保するとともに、各局
のOFDMフレーム構成を維持することが可能となる。
【発明の効果】
【００２６】
本発明によれば、マスタ送信装置が各スレーブ送信装置のコンテンツパケット受信状況を把握できるため、複数の送信装置の適切なバッファ量を動的に確保するとともに、各局のOFDMフレーム構成を維持することができるという効果を有する。
【図面の簡単な説明】
【００２７】
【図１】本発明の送信制御システムの構成を示す図
【図２】本発明の第１の実施の形態におけるマスタ装置の構成を示す図
【図３】本発明の第１の実施の形態におけるスレーブ装置の構成を示す図
【図４】本発明の第１の実施の形態における放送ＴＳの一例を示す図
【図５】本発明の第２の実施の形態におけるスレーブ装置の構成を示す図
【図６】本発明の第２の実施の形態におけるフレーム送信を示す図
【図７】本発明の第３の実施の形態におけるフレーム送信を示す図
【発明を実施するための形態】
【００２８】
以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００２９】
以下、本発明の実施の形態の送信システムについて、特に放送システムを例に図面を参照しながら説明する。
（第１の実施の形態）
図１は、本発明の第１の実施の形態の放送システムの構成を示す図である。放送システム１０は、映像を配信するマスタ装置２０と、複数のスレーブ装置３０、３１とを備え、それらがＩＰネットワークを介して通信可能に接続されている。これらのマスタ装置２０およびスレーブ装置３０、３１から同一送信周波数ｆ１にてコンテンツパケットを送信することでＳＦＮを実現している。なお、図１の例では、放送システム１０に２つのスレーブ装置３０、３１が含まれているが、スレーブ装置の数は必要なエリアをカバーできるように１つ以上であればいくつであってもよい。
【００３０】
マスタ装置２０は、複数のスレーブ装置３０、３１に対して放送用のトランスポートストリーム(以下放送ＴＳと略す)のＩＰパケットを配信する。スレーブ装置３０、３１はこのＩＰパケットを受信する。
【００３１】
マスタ装置２０は、スレーブ装置３０、３１と同期を取るためのマスタ装置としても機能する。すなわち、マスタ装置２０は正確なクロックを持っており、スレーブ装置としてのクライアント３０、３１はそれぞれマスタ装置２０との間で同期パケットの送受信を行い、マスタ装置２０との同期を確立する。同期確立の具体的な方法としては、上記で説明したＰＴＰ等の方法を用いることができる。
【００３２】
図２はマスタ装置１００の構成を示す図である。マスタ装置１００は、ＩＰカメラ１５０等により撮像および符号化されたＭＰＥＧ−２のトランスポートストリーム(以下ＭＰＥＧ２−ＴＳと略す)のＩＰパケットを入力するＩＰ入力部１０１と、ＩＰ入力部１０１で入力されたＭＰＥＧ２−ＴＳを再多重して放送ＴＳへと変換する再多重化部１０２と、再多重化部１０２で変換された放送ＴＳをスレーブ装置に対してＩＰ網を介してＩＰパケット出力するコンテンツパケット配信部１０３と、同期パケットを送受信することによりマスタ装置１００とスレーブ装置２００との同期を確立するためのネットワーク同期部１０４と、放送ＴＳの送信開始フレームおよびタイミングを制御するため送信タイミング制
御部１０５と、スレーブ装置から送信されるフレーム番号を受信するフレーム番号受信部１０７と、放送ＴＳへと変換されたコンテンツパケットを記憶するためのバッファ１２０と、バッファ１２０の容量決定およびアクセス制御を行うバッファ制御部１０８と、バッファ１２０から出力された放送ＴＳをＲＦ信号へ変換する伝送路符号化部１３０とを備えている。
【００３３】
図３はスレーブ装置２００の構成を示す図である。スレーブ装置２００は、マスタ装置１００からの放送ＴＳのＩＰパケットを受信するコンテンツパケット受信部２０１と、同期パケットを送受信することによりマスタ装置１００とスレーブ装置２００との同期を確立するネットワーク同期部２０４と、マスタ装置１００から放送ＴＳの送信開始フレームおよびタイミングを受信し、スレーブ装置２００内の送信開始フレームおよびタイミングを制御する送信タイミング制御部２０５と、コンテンツパケット受信部２０１で受信されたパケットからダミーバイト部分に割り当てられたフレーム番号を取得するフレーム番号取得部２０２と、フレーム番号取得部２０２で取得されたフレーム番号を受信時刻とともにマスタ装置１００に送信するフレーム番号送信部２０３と、コンテンツパケット受信部２０１からの放送ＴＳを記憶するためのバッファ２２０と、バッファ２２０のアクセス制御を行うバッファ制御部２０６と、バッファ２２０から出力された放送ＴＳをＲＦ信号へ変換する伝送路符号化部２３０とを備えている。
【００３４】
以上のように構成された放送システムの動作を以下に説明する。図４はマスタ装置１００からスレーブ装置２００、２０１、２０２に配信される放送ＴＳのＩＰパケットを示している。各ＩＰパケットは１８８バイトの情報部分と８バイトの多重位置部分と、オプションで使用するパリティ８バイトで構成されている。本発明では、このパリティオプションを使用しない場合にダミーバイト部分となる８バイトを配信映像のフレーム先頭フラグまたはフレーム番号インクリメントカウンタまたはフレーム番号デクリメントカウンタとして使用する。ちなみに、このダミーデータ部分８バイトはスレーブ装置の伝送路符号化部２３０でリード・ソロモン符号(ＲＳ符号)に置き換わるのでこのようなカウンタとして用いても問題とはならない。
【００３５】
マスタ装置１００はＩＰカメラ１５０からのＭＰＥＧ２−ＴＳを受信すると、再多重化部１０２で放送用のＴＳへと変換し、コンテンツパケット配信部１０３からスレーブ装置２００、２０１、２０２に対して図４に示された放送ＴＳを送信する。スレーブ装置２００、２０１、２０２は、コンテンツパケット受信部２０１にて受信した放送ＴＳのパケットから、ダミーバイト部分を抽出しフレーム先頭フラグまたはフレーム番号として取得する。なお本発明においては、フレーム番号はＯＦＤＭフレーム番号を指すものとする。また各スレーブ装置はフレーム番号送信部２０３にて取得済みのフレーム番号の中で最新のものと当該パケット受信時刻とをフレーム番号送信用のパケットでマスタ装置１００に送信する。なお、各スレーブ装置はマスタ装置１００と定期的に同期パケットを送受信して時刻同期を実現しているが、この同期パケットの空き部分を利用して、取得済みのフレーム番号の中で最新のものと受信時刻とを伝送してもよい。
【００３６】
マスタ装置１００のバッファ制御部１０８は、各スレーブ装置のパケット受信状況から、マスタ装置１００のバッファ１２０および各スレーブ装置のバッファ２２０のバッファ容量をもっとも受信の遅いスレーブ装置に基づき決定する。このバッファ容量決定のために、事前にテストパケットをマスタ装置１００からスレーブ装置に送信して決定してもよい。また、バッファ容量は所定期間ごとに更新される。
【００３７】
マスタ装置１００は、各スレーブ装置から送信されてきたフレーム番号の中からフレーム番号インクリメントカウンタを使用した場合には、最も小さいフレーム番号(時間的に最も古いフレーム)を決定し、フレーム番号デクリメントカウンタを使用した場合には、
最も大きいフレーム番号を決定して、マスタ装置およびスレーブ装置から一斉送信する送信開始フレーム番号とする。
【００３８】
次にマスタ装置１００の送信タイミング制御部１０５から、決定した送信開始フレーム番号を送信開始時刻とともに各スレーブ装置に送信する。各スレーブ装置は送信タイミング制御部２０５でマスタ装置からの送信制御信号を受信してスレーブ装置内の送信制御を行う。マスタ装置および各スレーブ装置は、設定された送信開始時刻から指定された送信開始フレーム番号より放送ＴＳの送信を開始する。
【００３９】
このように本実施の形態の送信制御システムによれば、マスタ装置が各スレーブ装置から取得済フレーム番号情報を得ることで、マスタ装置およびスレーブ装置のバッファ容量をＩＰ網の遅延状況に応じて動的に変更しつつ、送信開始フレーム番号を決定するため、マスタ装置およびスレーブ装置の適切なバッファ量を動的に確保するとともに、各局のOFDMフレーム構成を維持することが可能となる。さらに送信開始時刻の同期だけでなく送信開始ＯＦＤＭフレーム番号も一致させて複数の送信装置から放送ＴＳ等のコンテンツを送信することができる。
（第２の実施の形態）
次に本発明の第２の実施の形態の送信制御システムを説明する。本実施の形態の送信制御システムの構成は第１の実施の形態と略同様であり、第１の実施の形態の送信制御システムをさらに改良したものである。第２の実施形態の送信制御システムが第１の実施形態の送信制御システムと異なるのは、新規スレーブ装置３００に図５に示すようにコンテンツパケット送信要求部２０７があることである。
【００４０】
本実施の形態では、既に稼働中の送信制御システムに新たなスレーブ装置を追加するものであり、追加スレーブ装置Ｃ３００を以下のように動作させる。
【００４１】
まず、追加スレーブ装置Ｃ３００は、コンテンツパケット送信要求部２０７からマスタ装置１００に同期処理と放送ＴＳのＩＰ送信を要求する。マスタ装置は、追加スレーブ装置からの要求にしたがい、ＩＥＥＥ１５８８に基づいた時刻等の同期処理およびコンテンツパケットのＩＰ送信を開始する。ついで、追加スレーブ装置Ｃ３００はコンテンツパケット受信部２０１で放送ＴＳを受信するとともに、バッファ２２０へ受信した放送ＴＳを転送する。転送の途中でフレーム番号取得部２０２により放送ＴＳのダミーデータ部分を検査してフレーム番号を取得する。追加スレーブ装置Ｃ３００はマスタ装置１００と定期的に同期パケットを送受信して時刻同期を実現することも並行して行っており、この同期パケットに重畳して取得済みのフレーム番号の中で最新のフレーム番号を受信時刻とともにマスタ装置１００に送信する。
【００４２】
マスタ装置１００は、追加スレーブ装置Ｃ３００から送信されてきた取得済フレーム番号と、現在、マスタ装置１００から送信中のフレーム番号とから、追加スレーブ装置Ｃ３００の送信開始フレームを決定し、送信開始時刻と合わせて追加スレーブ装置Ｃ３００に通知する。マスタ装置１００はこのとき追加スレーブ装置Ｃ３００のＩＰ網の伝送路遅延も検出し、バッファ制御部１０８にて送信同期システム全体としてバッファ容量を決定するとともに、各スレーブ装置および追加スレーブ装置に通知する。追加スレーブ装置Ｃ３００はマスタ装置１００から通知された内容にしたがい、バッファ２２０のバッファ容量を確保するとともに、送信開始することで、追加スレーブ装置Ｃ３００からも既存の同期システムの送信を中止することなく、同期送信を実現することができる。
【００４３】
このように本実施の形態の送信制御システムによれば、マスタ装置およびスレーブ装置の適切なバッファ量を動的に確保するとともに、各局のOFDMフレーム構成を維持することが可能となる。また、単に送信開始時刻だけでなく送信開始ＯＦＤＭフレーム番号も同期
させて、追加スレーブ装置を含む複数の送信装置から放送ＴＳ等のコンテンツを送信することができる。
【００４４】
さらに、今まで送信制御システムにスレーブ装置を新規追加する場合、夜間等の送信停止時に実施することが多かったが、昼間のシステム稼動時にスレーブ装置を新規に追加することが可能となり非常に有益である。
（第３の実施の形態）
次に本発明の第３の実施の形態の送信制御システムを説明する。本実施の形態の放送システムの構成が第２の実施の形態と異なるのは、マスタ装置で送信フレームにＮＵＬＬフレームを使用できる点である。
【００４５】
本実施の形態では、第２の実施の形態と同様に、稼働中の送信制御システムに新規スレーブ装置Ｃ３００を新規に追加するものであるが、新規スレーブ装置Ｃ３００の伝送路での遅延量が大きい場合の送信タイミング同期に関するものである。
【００４６】
まず、追加スレーブ装置Ｃ３００は、コンテンツパケット送信要求部２０７によりマスタ装置１００に同期処理と放送ＴＳのＩＰ送信を要求する。マスタ装置１００は、追加スレーブ装置Ｃ３００からの要求にしたがい、時刻等の同期処理とＩＰ送信を開始する。ついで、追加スレーブ装置Ｃ３００はコンテンツパケット受信部２０１で放送ＴＳを受信するとともに、バッファ２２０へ受信した放送ＴＳを転送する。転送途中にフレーム番号取得部２０２にて、放送ＴＳのダミーデータ部分を検査してフレーム番号を取得する。追加スレーブ装置Ｃ３００は同期パケットに重畳して取得済みのフレーム番号の中で最新のフレーム番号を受信時刻とともにマスタ装置１００に送信する。
【００４７】
マスタ装置１００は、追加スレーブ装置Ｃ３００から送信されてきたフレーム番号と、現在のマスタ装置１００から送信中のフレーム番号とから、追加スレーブ装置Ｃ３００の送信開始フレームを決定する。さらにマスタ装置１００は追加スレーブ装置Ｃ４００のＩＰ網の伝送路遅延も検出し、バッファ制御部１０８にて送信同期システム全体としてバッファ容量を決定するとともに、各スレーブ装置および追加スレーブ装置に通知する。しかしながら、追加スレーブ装置Ｃ４００からの遅延量が大きい場合は、マスタ装置１００内のバッファ１２０およびスレーブ装置Ａ２００、Ｂ２０１内のバッファ２２０のバッファ容量では足りない場合がある。このときには、マスタ装置１００自身またはいずれかのスレーブ装置からのバッファ容量の残量が少ないという情報(例えば残容量が１フレーム分以下)をマスタ装置１００が受信して、一旦ＮＵＬＬフレームを遅延量に応じた必要数だけ挿入し（図７の例では、ＮＵＬＬフレーム１ヶ）、送信同期済みのスレーブＡ２００とスレーブＢ２０１に通知する。その後、送信開始フレーム番号(図７の例では送信開始フレーム番号２)および送信開始時刻を既存スレーブ装置Ａ２００、Ｂ２０１および追加スレーブ装置Ｃ３００に通知する。各スレーブ装置はマスタ装置１００から通知された内容にしたがい送信開始することで、追加スレーブ装置の遅延が大きい場合でも、同期送信を実現することができる。
【００４８】
ＮＵＬＬフレームを挿入することで、図示しないテレビ受信機等の受信端末のフレーム同期が維持できる効果も有する。またＮＵＬＬフレームにより遅延されるＰＣＲ(Program
Clock Reference)、ＤＴＳ(Decode Time Stamp)、ＰＴＳ(Presentation Time Stamp)も必要な補正を行うことで、ＭＰＥＧ２の再生同期も保持できる。
【００４９】
このように本実施の形態の送信制御システムによれば、新規追加スレーブ装置Ｃ３００のＩＰ網の通信状態が良くなく、遅延が大きい場合であっても、マスタ装置、スレーブ装置および新規追加スレーブ装置の適切なバッファ量を動的に確保するとともに、各局のOFDMフレーム構成を維持することが可能となる。また、送信開始時刻および送信開始ＯＦＤ
Ｍフレーム番号を同期させて、追加スレーブ装置を含む複数の送信装置から放送ＴＳ等のコンテンツを送信することができる。
【産業上の利用可能性】
【００５０】
本発明は、複数の送信装置の適切なバッファ量を動的に確保するとともに、各局のOFDMフレーム構成を維持することが可能となるという効果を有し、映像音声等の各種コンテンツのパケットを配信するサーバとパケットの配信を受ける複数のクライアントとを備えた放送システム等として有用である。
【符号の説明】
【００５１】
１０  放送システム
２０  マスタ装置
３０、３１  スレーブ装置
１００  マスタ装置
２００  スレーブ装置
１０１  ＩＰ入力部
２０１  コンテンツパケット受信部
１０２  再多重化部
１０３  コンテンツパケット配信部
１０４、２０４  ネットワーク同期部
１０５、２０５  送信タイミング制御部
１０８、２０６  バッファ制御部
１２０、２２０  バッファ
１３０、２３０  伝送路符号化部
１５０  ＩＰカメラ
２０２  フレーム番号取得部
２０７  コンテンツパケット送信要求部
【図１】
2015106901.tif 000003
【図２】
2015106901.tif 000004
【図３】
2015106901.tif 000005
【図４】
2015106901.tif 000006
【図５】
2015106901.tif 000007
【図６】
2015106901.tif 000008
【図７】
2015106901.tif 000009